(57)【要約】【課題】  円筒状の版を印刷機に対してより簡単にかつ正確に取り付けることを可能にする印刷機用版装着装置を提供する。【解決手段】  版装着装置3は、弾性材料により円筒状に形成された版本体4の外周面の一部に版部5が設けられ、版本体５の内周に内向きに突出して軸方向にのびる係合部6が形成されている版2を装着するために、印刷機の版駆動軸1に固定状に設けられるものである。版装着装置3は、版駆動軸1に固定状に設けられて外周に版駆動軸1の先端側から版2が装着される円筒状の版装着面14を有する版シリンダ部12を備えている。版シリンダ部12の外周に、版駆動軸1の先端側から版2の係合部6がはめられる周方向位置決め用みぞ21と、版2の端部が当接する軸方向位置決め用ストッパ20と、版シリンダ部12に装着された版2の版部5のない部分を径方向内側から径方向外側に押して版2を版シリンダ部12の版装着面14に密着固定させる版固定部材24とが設けられている。【選択図】  図２
2010042531.tif 000002
【特許請求の範囲】
【請求項１】
弾性材料により円筒状に形成された版本体の外周面の一部に版部が設けられ、版本体の内周に内向きに突出して軸方向にのびる係合部が形成されている版を装着するために、印刷機の版駆動軸に固定状に設けられる装置であって、
版駆動軸に固定状に設けられて外周に版駆動軸の先端側から版が装着される円筒状の版装着面を有する版シリンダ部を備えており、版シリンダ部の外周に、版駆動軸の先端側から版の係合部がはめられる周方向位置決め用みぞと、版の端部が当接する軸方向位置決め用ストッパと、版シリンダ部に装着された版の版部のない部分を径方向内側から径方向外側に押して版を版シリンダ部の版装着面に密着固定させる版固定部材とが設けられていることを特徴とする印刷機用版装着装置。
【請求項２】
版固定部材が、版シリンダ部の版装着面を含む円筒面より内側に没入した位置と外側に突出した位置との間を移動できて、かつ任意の位置に固定できるものであることを特徴とする請求項１の印刷機用版装着装置。
【請求項３】
版シリンダ部の外周の円筒面の周方向の一部が取り除かれて、版装着面を含む円筒面より径方向内側に位置する版固定部材装着面が形成されており、版固定部材装着面に形成された版固定部材用凹所に、版固定部材が径方向に移動しうるようにはめられていることを特徴とする請求項２の印刷機用版装着装置。
【請求項４】
版固定部材装着面の凹所の底に形成された楔部材用凹所に、径方向外側に楔面を有する楔部材が軸方向に移動しうるようにはめられ、版シリンダ部に、楔部材を軸方向に移動させて任意の位置に停止させるためのねじ手段が設けられ、版固定部材の径方向内側に楔部材の楔面と当接する楔面が形成され、版シリンダ部または楔部材と版固定装置との間に、永久磁石を用いて版固定部材を径方向内向きに付勢することにより版固定部材の楔面を楔部材の楔面に圧接させる付勢手段が設けられていることを特徴とする請求項３の印刷機用版装着装置。
【請求項５】
請求項１〜請求項４のいずれか１項の印刷機用版装着装置を備えていることを特徴とする印刷機。
【発明の詳細な説明】
【技術分野】
【０００１】
この発明は、印刷機用版装着装置および印刷機に関する。
【背景技術】
【０００２】
印刷機として、版駆動軸に固定される版シリンダの外周に版が装着されるようになったものが知られている。
【発明の開示】
【発明が解決しようとする課題】
【０００３】
上記のような印刷機では、版駆動軸に固定された状態の版シリンダに、シート状の版を巻き付けて装着することがある。その場合、印刷機内での版の装着作業が面倒で、版シリンダに版を正確に取り付けることが困難である。
【０００４】
これを避けるため、版駆動軸から取り外した状態の版シリンダにシート状の版を巻き付けて装着した後に、版シリンダを版駆動軸に固定することもある。この場合、版シリンダはかなりの重量を有するので、版駆動軸に対する版シリンダの取り外し、取り付け作業が困難である。
【０００５】
本発明者は、上記の問題を解決し、印刷機に対して版を簡単にかつ正確に取り付けることを可能にする印刷機用版として、弾性材料により円筒状に形成された版本体の外周面の一部に版部が設けられ、版本体の内周に内向きに突出して軸方向にのびる係合部が形成されているものを提案した（特願２００８−１３７７６６号参照）。
【０００６】
この発明の目的は、上記のような円筒状の版を印刷機に対してより簡単にかつ正確に取り付けることを可能にする印刷機用版装着装置および印刷機を提供することにある。
【課題を解決するための手段】
【０００７】
この発明による版装着装置は、弾性材料により円筒状に形成された版本体の外周面の一部に版部が設けられ、版本体の内周に内向きに突出して軸方向にのびる係合部が形成されている版を装着するために、印刷機の版駆動軸に固定状に設けられる装置であって、版駆動軸に固定状に設けられて外周に版駆動軸の先端側から版が装着される円筒状の版装着面を有する版シリンダ部を備えており、版シリンダ部の外周に、版駆動軸の先端側から版の係合部がはめられる周方向位置決め用みぞと、版の端部が当接する軸方向位置決め用ストッパと、版シリンダ部に装着された版の版部のない部分を径方向内側から径方向外側に押して版を版シリンダ部の版装着面に密着固定させる版固定部材とが設けられていることを特徴とするものである。
【０００８】
この明細書において、「版部」という用語は、既に版が形成されている部分（製版済みの部分）および版を形成するための部分であってまだ版が形成されていない部分（製版前の部分）の両方を含む意味で用いられる。版部は、版が版シリンダ部に装着されたときに版装着面に密着する版の部分に形成される。
【０００９】
この発明の版装着装置に装着される版の内径は、版シリンダ部の版装着面の外径よりわずかに大きい。
【００１０】
版装着装置に版を取り付けるときには、版固定部材が版を径方向外側に押さない状態にしておく。このような状態で、版の係合部が版シリンダ部のみぞにはまるように、版を版シリンダ部の外周に一端部からはめて、版の一端部をストッパに当接させる。これにより、版が、版シリンダ部の所定位置に正確にかつ簡単に取り付けられる。版の内径が版装着面の外径より大きく、版を取り付けるときには、版固定部材が版を径方向外側に押さない状態になっているので、版装着面と版の間に隙間があり、版を版シリンダ部に簡単に取り付けることができる。版が取り付けられたならば、版固定部材が版を径方向外側に押す状態にし、版を版装着面に密着させて固定する。このとき、版の係合部が版シリンダ部のみぞにはまり、版の一端部がストッパに当接することにより、版の径方向および軸方向の位置決めがなされ、版固定部材によりその位置に固定される。したがって、使用中に版シリンダ部に対して版の位置がずれることがない。
【００１１】
版の内径と版装着面の外径の差は、版シリンダ部に対する版の取り付け・取り外しが簡単にできる範囲で、なるべく小さくするのが好ましい。
【００１２】
版装着装置から版を取り外すときは、版固定部材が版を径方向外側に押さない状態にする。これにより、版装着面と版の間に隙間が生じ、版を軸方向に移動させて、版シリンダ部の一端から簡単に取り外すことができる。
【００１３】
好ましくは、版が版シリンダ部に装着されて回転させられたときに、係合部の先端側が基端側より回転方向後側となるように、係合部が版本体に対して斜めに形成される。さらに好ましくは、係合部と版本体のなす角度が３５〜５５度であり、最も好ましくは、４５度である。これに合わせて、版シリンダ部のみぞについても、みぞの底部が開口部より回転方向後側になるように、斜めに形成される。
【００１４】
このようにすれば、版シリンダ部が回転すると、係合部がみぞに食い込み、版の位置がずれることがない。
【００１５】
好ましくは、版は、長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版部が設けられているものである。
【００１６】
この場合、好ましくは、版固定部材が版の接合部分を押すようにする。
【００１７】
好ましくは、係合部の折り曲げ角度が９０度より大きい。
【００１８】
「折り曲げ角度」は、平坦なシートの状態から実際に係合部が折り曲げられた角度である。したがって、係合部と隣接するシートの部分とのなす角度（シート・係合部間角度）は、１８０度から折り曲げ角度を減じた値となる。
【００１９】
係合部の折り曲げ角度を９０度より大きくすると、シート・係合部間角度は９０度より小さくなる。
【００２０】
折り曲げ角度は１２５度〜１４５度（シート・係合部間角度は５５度〜３５度）が好ましく、折り曲げ角度は１３５度（シート・係合部間角度は４５度）が最も好ましい。
【００２１】
この場合も、版シリンダ部を、版本体を構成するシートの係合部のある端部側が回転方向前側となる方向に回転させるのが好ましい。そうすると、係合部の先端側が回転方向後側を向くことになり、版シリンダが回転すると、係合部がみぞに食い込み、版の位置がずれることがない。
【００２２】
この発明の版装着装置において、たとえば、版固定部材が、版シリンダ部の版装着面を含む円筒面より内側に没入した位置と外側に突出した位置との間を移動できて、かつ任意の位置に固定できるものである。
【００２３】
この場合、版を版シリンダ部に取り付けるときおよび取り外すときには、版固定部材を版装着面を含む円筒面より内側に没入した位置に固定して版を押さない状態にする。そして、版が版シリンダ部に取り付けられた後に、版固定部材を版装着面を含む円筒面より外側に突出する位置に固定することにより、版を径方向外側に押し、版装着面に密着させて固定する。
【００２４】
このようにすれば、版固定部材を移動させて任意の位置に固定するだけで、版の取り付け・取り外しおよび版の固定を簡単に行うことができる。
【００２５】
上記の版装着装置において、たとえば、版シリンダ部の外周の円筒面の周方向の一部が取り除かれて、版装着面を含む円筒面より径方向内側に位置する版固定部材装着面が形成されており、版固定部材装着面に形成された版固定部材用凹所に、版固定部材が径方向に移動しうるようにはめられている。
【００２６】
この場合、好ましくは、版固定部材が、版固定部材装着面の周方向中間部またはそれより回転方向後側に配置され、みぞが、版固定部材装着面の版固定部材より回転方向前側に設けられる。
【００２７】
上記の版装着装置において、たとえば、版固定部材装着面の凹所の底に形成された楔部材用凹所に、径方向外側に楔面を有する楔部材が軸方向に移動しうるようにはめられ、版シリンダ部に、楔部材を軸方向に移動させて任意の位置に停止させるためのねじ手段が設けられ、版固定部材の径方向内側に楔部材の楔面と当接する楔面が形成され、版シリンダ部または楔部材と版固定装置との間に、永久磁石を用いて版固定部材を径方向内向きに付勢することにより版固定部材の楔面を楔部材の楔面に圧接させる付勢手段が設けられている。
【００２８】
このようにすれば、ねじ手段で楔部材を移動させて任意の位置に固定するだけで、版の取り付け・取り外しおよび版の固定を簡単に行うことができる。
【００２９】
この発明による印刷機は、上記の印刷機用版装着装置を備えていることを特徴とするものである。
【発明の効果】
【００３０】
この発明の印刷機用版装着装置および印刷機によれば、上記のように、印刷機に対する円筒状の版の取り付けおよび取り外しをきわめて簡単に行うことができる。
【発明を実施するための最良の形態】
【００３１】
以下、図面を参照して、この発明の実施形態について説明する。
【００３２】
図１は印刷機の版駆動軸(1)に取り付けられて版(2)が装着された版装着装置(3)の縦断面図、図２は図１の版装着装置(3)の正面図、図３は版装着装置(3)の一部を示す平面図、図４は版装着装置(3)の一部とそれに装着される前の版(2)の一部を拡大して示した縦断面図、図５は図１のＶ−Ｖ線に沿う断面図（横断面図）、図６は版(2)とその製造工程を示す斜視図、図７は図６の版形成前の状態の一部を拡大して示す側面図である。以下の説明において、図１の上下を上下とし、図１の左側を前、右側を後とし、前から後を見たときの左右を左右とする。
【００３３】
版(2)は、弾性材料により円筒状に形成された版本体(4)の外周面の一部に版部(5)が設けられ、版本体(4)の内周に内向きに突出して軸方向にのびる係合部(6)が形成されているものである。この例では、図６(b)に示すように、版(2)は、長方形状の弾性材料製シート(7)が円筒状に形成されて両端部が重ね合わされて接合されることにより、円筒状版本体(4)が構成され、接合部分(8)の内側に位置するシート(7)の端部が内側に折り曲げられて、係合部(6)が形成されており、接合部分(8)を除く版本体(4)の外周面の所定箇所に、版部(5)が設けられているものである。版本体(4)は、磁性あるいは非磁性の適当な金属よりなる。この例では、一般構造用鋼であるＳＳ鋼製である。シート(7)の厚さは、円筒状に形成できて、かつ弾性力により円筒状を保持できる程度であればよい。この例では、約０．２４ｍｍである。シート(7)の接合手段は任意であるが、この例では、接着剤とスポット溶接が用いられている。
【００３４】
版部(5)は、版本体(4)の接合部分(8)を除く外周の所定箇所に設けられており、版部(5)の外周面が版面となっている。
【００３５】
接合部分(8)の内側に位置するシート(7)の端部が内側に折り曲げられて、係合部(6)が形成されている。図７に破線で示すシート(7)の平坦な状態から実際に係合部(6)が折り曲げられた角度αを折り曲げ角度、係合部(6)と隣接するシート(7)の部分とのなす角度βをシート・係合部間角度という。折り曲げ角度αは９０度より大きい（シート・係合部間角度βは９０度より小さい）のが好ましく、折り曲げ角度αは１２５度〜１４５度（シート・係合部間角度βは５５度〜３５度）がさらに好ましく、折り曲げ角度αは１３５度（シート・係合部間角度βは４５度）が最も好ましい。この例では折り曲げ角度αは約１３５度、シート・係合部間角度βは約４５度である。
【００３６】
版(2)の製造方法は任意であるが、次に、図６を参照して、その１例について説明する。
【００３７】
まず、図６(a)に示すように、長方形状のシート(7)の一端部に係合部(6)を形成し、シート(7)の両端寄りの部分を除く所定の部分に版部(5)を形成する。そして、係合部(6)側のシート(7)の端部の係合部(6)と反対側の面に適当な接着剤(9)を塗布する。次に、図６(b)に示すように、シート(7)を円筒状に形成して、接着剤(9)の外側に反対側のシート(7)の端部(7a)を重ね合わせて接合し、さらに接合部分(８)をスポット溶接により強固に接合する。図６(b)において、(10)はスポット溶接部を示している。版部(5)への版の形成すなわち製版は、図６(a)のシート(7)の状態の版部(5)に対して行ってもよいし、図６(b)の円筒状の版(2)の版部(5)に対して行ってもよい。
【００３８】
次に、図１〜図５を参照して、版装着装置(3)の構成について説明する。
【００３９】
図１において、(11)は図示しない印刷機の機枠に設けられた軸受ハウジングである。版駆動軸(1)の前側部分は軸受ハウジング(11)に回転支持され、後側部分は機枠に設けられた図示しない軸受ハウジングに回転支持されている。軸(1)は公知の駆動手段により所定方向（この例では前から見て時計方向）に所定速度で回転させられる。軸(1)の前端寄りの部分は、軸受ハウジング(11)より前方に突出しており、軸受ハウジング(11)より前側の軸(1)の前端部に、先細テーパ部(1a)が形成されている。
【００４０】
版装着装置(3)は、軸テーパ部(1a)に着脱ができるように固定される。
【００４１】
版装着装置(3)は、軸テーパ部(1a)に固定される版シリンダ部(12)を備えている。版シリンダ部(12)は、中心に前側の内径の小さいテーパ穴(13)が形成された円筒状をなし、その外周に、軸(1)と同心の円筒状の版装着面(14)が形成されている。重量軽減のため、版シリンダ部(12)の周方向の複数箇所（この例では４箇所）が前後全長にわたって取り除かれている。それにより、版シリンダ部(12)は、内周にテーパ穴(13)が形成された先細テーパ筒部(15)と、外周に版装着面(14)が形成された外側円筒部(16)と、これらを連結する複数（この例では４つ）の連結部(17)とから構成されている。版シリンダ部(12)は、テーパ穴(13)に軸テーパ部(1a)をはめ合わせた状態で軸(1)に固定され、軸(1)と一体となって回転する。版シリンダ部(12)の回転方向を、図２および図５に矢印Ｒで示している。
【００４２】
版シリンダ部(12)の外側円筒部(16)の上部の連結部(17)に対応する部分において、円筒面の一部が取り除かれて、平坦な版固定部材装着面(18)が形成されており、外側円筒部(16)の外周の版固定部材装着面(18)を除く部分が版装着面(14)となっている。版(2)の版部(5)は、版(2)が版シリンダ部(12)に装着されたときに版装着面(14)に密着する版本体(4)の部分に形成され、版装着面(14)の周方向長さは、版部(5)の周方向長さより長い。版固定部材装着面(18)は、版装着面(14)を含む円筒面より径方向内側に位置している。版装着面(14)の前端部に、面取りにより先細テーパ面(19)が形成されている。版装着面(14)の外径は、版(2)の内径よりわずかに小さい。
【００４３】
版シリンダ部(12)の円筒部(16)後端面の外周部に、版装着面(14)より径方向外側に少し張り出した円環状の軸方向位置決め用ストッパ(20)が固定されている。
【００４４】
版固定部材装着面(18)の回転方向前側の部分の軸方向全長に、版(2)の係合部(6)がはめられる周方向位置決め用みぞ(21)が形成されている。みぞ(21)と版装着面(14)を含む円筒面のなす角度は、版(2)の係合部(6)のシート・係合部間角度βと等しい。また、みぞ(21)は、その底部(21a)が開口部(21b)より回転方向後側になるように形成されている。
【００４５】
版固定部材装着面(18)のみぞ(21)より回転方向後側の部分、この例では、版固定部材装着面(18)の回転方向中間部より回転方向後側の部分に、第１凹所（版固定部材用凹所）(22)が形成されている。凹所(22)は、版固定部材装着面(18)の軸方向長さの大部分にわたり、径方向外側から見て、軸方向に長い方形状をなす。凹所(22)の横断面形状は方形状で、凹所(22)の底壁および両側壁は平坦面である。第１凹所(22)の長さの中間部に、第１凹所(22)より短い第２凹所（楔部材用凹所）(23)が第１凹所(22)の一部を径方向内側に延長した形に形成されている。第２凹所(23)の横断面形状は方形状で、凹所(23)の底壁および両側壁は平坦面である。
【００４６】
前後方向に長い版固定部材(24)が、第１凹所(22)に軸(1)の径方向に移動しうるようにはめられている。版固定部材(24)は、周方向および軸方向に凹所(22)にほぼ隙間なくはまり、凹所(22)の周方向両側壁および軸方向両端壁に沿って径方向に移動する。版固定部材(24)の径方向外側の端面(24a)は、版固定部材装着面(18)と平行な平坦面である。この端面(24a)は、版装着面(14)と同じ曲率の円筒面であってもよい。版固定部材(24)の径方向内側の端面の軸方向中間部に、径方向内側に突出して第２凹所(23)の径方向外側の部分にはまる突出部(24b)が形成されている。突出部(24b)の径方向内側の端面は、径方向内側および前側を向いた楔面(24c)となっている。版固定部材(24)の１側面の前後２箇所に、方形状のみぞ(25)が形成されている。凹所(22)の１側壁の上部の前後２箇所に切欠き部(26)が形成され、これらの切欠き部(26)に、先端部が凹所(22)内に突出する脱落防止部材(27)が固定されている。各脱落防止部材(27)は、版固定部材(24)のみぞ(25)に前後方向および径方向に隙間をもってはめられ、版固定部材(24)の径方向の移動は許容するが、脱落は防止するようになっている。
【００４７】
第２凹所(23)に、楔部材(28)が前後方向に移動しうるようにはめられている。楔部材(28)の径方向内側の端面は平坦面で、凹所(23)の底壁に摺接している。楔部材(28)は、周方向に凹所(23)にほぼ隙間なくはまり、凹所(23)の底壁および両側壁に沿って前後方向に移動する。楔部材(28)の径方向外側の端面は、版固定部材(24)の楔面(24c)に対向して径方向外側および後側を向いた楔面(28a)となっている。楔部材(24)には、その前端面から後方にのびるめねじ(29)が形成されている。
【００４８】
版固定部材(24)の楔面(24c)に、第１永久磁石(30)が埋め込まれて固定されている。第２凹所(23)の底壁に、第１永久磁石(30)に対向する第２永久磁石(31)が埋め込まれて固定されている。第１永久磁石(30)と第２永久磁石(31)は、互いに吸引するように配置され、この磁気吸引力により版固定部材(24)を径方向内向きに付勢して版固定部材(24)の楔面(24c)を楔部材(28)の楔面(28a)に圧接させる付勢手段を構成している。
【００４９】
第２凹所(23)の前側の連結部(17)の壁を貫通するように、前後方向にのびるねじ部材(32)が設けられている。ねじ部材(32)は、連結部(17)の壁を前後に貫通する穴(33)およびその前端面に固定された軸受部材(34)により、回転はするが前後に移動しないように支持されている。ねじ部材(32)は、連結部(17)の穴(33)および軸受部材(34)に支持されたねじ部(35)と、ねじ部(35)を軸受部材(34)に通した後にねじ部(35)の前端に固定される頭部(36)とから構成されている。ねじ部(35)は、連結部材(17)の穴(33)および軸受部材(34)に支持されており、第２凹所(23)内にのびたねじ部(35)の後部に、楔部材(28)のめねじ(29)とはまり合うおねじ(37)が形成されている。頭部(36)は連結部(17)より前方に突出しており、その外周面に、軸方向にのびる多数の細かい回り止め突条(38)が形成されている。連結部(17)の前端面に、回り止め部材(39)の基端部が固定されている。回り止め部材(39)は、金属板などの弾性部材よりなり、その自由端部に形成された爪(40)が、ねじ部材頭部(36)の外周面の突条(38)の間の部分に圧接してねじ部材(32)の回り止めの機能を果たすようになっている。
【００５０】
ねじ部材(32)を押圧方向に回転させることにより、楔部材(28)が押圧側（後側）に移動し、それにより、版固定部材(24)が押圧側（径方向外側）に移動し、ねじ部材(32)を反対側の押圧解除方向に回転させることにより、楔部材(28)が押圧解除側（前側）に移動し、それにより、版固定部材(24)が押圧解除側（径方向内側）に移動する。楔部材(28)は、最も押圧側に移動したときには、版装着面(14)を含む円筒面より径方向外側に突出し、最も押圧解除側に移動したときには、版装着面(14)を含む円筒面より径方向内側に没入するようになっている。ねじ部材(32)および楔部材(28)のめねじ(29)により、楔部材(28)を軸方向に移動させて任意の位置に固定するねじ手段が構成されている。
【００５１】
上記の版装着装置(3)に版(2)を取り付けるときには、版固定部材(24)を版装着面(14)を含む円筒面より内側に没入した没入位置に固定して版を押さない押圧解除状態にする。このような状態で、版(2)の係合部(6)が版シリンダ部(12)のみぞ(21)にはまるように、版(2)を版シリンダ部(12)の外周に一端部からはめて、版(2)の一端部をストッパ(20)に当接させる。これにより、版(2)が、版シリンダ部(12)の所定位置に正確にかつ簡単に取り付けられる。版(2)の内径が版装着面(14)の外径より大きく、版(2)を取り付けるときには、版固定部材(24)が没入位置にあるので、版装着面(14)および版固定部材(24)と版(2)の間に隙間があり、版(2)を版シリンダ部(12)に簡単に取り付けることができる。版(2)が取り付けられたならば、ねじ部材(32)を押圧方向に回転させて、版固定部材(24)を押圧方向に移動させ、版(2)の接合部分(8)の内周に押し当てて、版(2)を径方向外側に押す押圧状態にする。版固定部材(24)により版(2)に所定の張力が付与されて、版(2)が版装着面(14)に密着固定されたならば、ねじ部材(32)の回転を停止して、回り止め部材(39)によりその位置に固定する。これにより、版(2)の装着が完了する。このとき、版部(5)全体が、版本体(4)を介して版装着面(14)に密着している。
【００５２】
印刷時には、上記のように版シリンダ部(12)に版(2)が固定されている状態で、版シリンダ部(12)が回転させられる。このとき、版固定部材(24)によって版(2)が版装着面(14)に密着固定され、しかも、版(2)の係合部(6)の先端側が回転方向Ｒ後側を向くことになり、係合部(6)がみぞ(21)に食い込み、版(2)の位置がずれることがない。また、回り止め部材(39)の爪(40)が弾性力によってねじ部材頭部(36)の突条(38)の間の部分に食い込んでいるので、振動などによってねじ部材(32)が回転してしまうことがない。
【００５３】
上記のように版シリンダ部(12)に装着されている版(2)を取り外すときには、ねじ部材(32)を押圧解除方向に回転させて、版固定部材(24)を押圧解除方向に移動させ、没入位置に固定する。これにより、版装着面(14)および版固定部材(24)と版(2)の間に隙間が生じ、版(2)を軸方向に移動させて、版シリンダ部(12)の一端から簡単に取り外すことができる。
【００５４】
印刷機、版装着装置(3)および版(2)の全体構成および各部の構成は、上記実施形態のものに限らず、適宜変更可能である。
【００５５】
たとえば、版は、円筒状の版本体に、それと別に作られた係合部が固定されたものであってもよい。
【００５６】
ねじ部材(32)は、上記実施形態では、手動で回転させられるようになっているが、電力などの動力によって回転させられてもよい。
【００５７】
上記実施形態では、楔部材を軸方向に移動させて、版固定部材を径方向に移動させているが、版固定部材を手動あるいは動力によって直接径方向に移動させるようにしてもよい。また、上記実施形態では、版固定部材を径方向に移動させることによって版(2)を径方向内側から径方向外側に押すようになっているが、たとえば、偏心した固定部材を回転させることによって版(2)を径方向内側から径方向外側に押すようにしてもよい。
【図面の簡単な説明】
【００５８】
【図１】図１は、この発明の実施形態を示す印刷機の版装着装置の縦断面図である。
【図２】図２は、版装着装置の正面図である。
【図３】図３は、版装着装置の一部を示す平面図である。
【図４】図４は、版装着装置の一部とそれに装着される前の版の一部を拡大して示した縦断面図である。
【図５】図５は、図１のＶ‐Ｖ線に沿う断面図（横断面図）である。
【図６】図６は、版とその製造工程を示す斜視図である。
【図７】図７は、図５の版形成前のシートの一部を拡大して示す側面図である。
【符号の説明】
【００５９】
(1)     版駆動軸
(2)     版
(3)     版装着装置
(4)     版本体
(5)     版部
(6)     係合部
(12)    版シリンダ部
(14)    版装着面
(18)    版固定部材装着面
(20)    軸方向位置決め用ストッパ
(22)    第１凹所（版固定部材用凹所）
(23)    第２凹所（楔部材用凹所）
(21)    周方向位置決め用みぞ
(24)    版固定部材
(24a)     楔面
(28)    楔部材
(28a)     楔面
(30)(31)    永久磁石
(32)    ねじ部材
【図１】
2010042531.tif 000003
【図２】
2010042531.tif 000004
【図３】
2010042531.tif 000005
【図４】
2010042531.tif 000006
【図５】
2010042531.tif 000007
【図６】
2010042531.tif 000008
【図７】
2010042531.tif 000009